(57)【要約】【課題】円周方向ダブテールスロット内に挿入するための閉塞スペーサ組立体を提供する。【解決手段】本閉塞スペーサ組立体（５０）は、隣り合うロータブレードプラットフォーム間の空間内に嵌合するように構成されたプラットフォーム（５４）を有する固定部材（５２）を含む。第１の脚部（６４）が、プラットフォームの下面から横方向に延びる。縦方向に延びる溝（６２）が、プラットフォーム内に形成される。摺動部材（７８）が、溝に沿って固定部材と移動可能に係合しかつ上部プレート（８０）と該上部プレートに連結された第２の脚部（８６）とを含む。摺動部材は、第１及び第２の脚部が第１の距離だけ間隔を置いて配置されてダブテールスロット（３６）内に挿入可能になるような第１の非閉塞位置と該第１及び第２の脚部が第２の拡大した距離だけ間隔を置いて配置されてダブテールスロットの対向する壁に対して係合しかつ該ダブテールスロット内で固定部材を所定の位置に固定する第２の閉塞位置との間で溝に沿って移動可能である。【選択図】      図４
2011033030.tif 000002
【特許請求の範囲】
【請求項１】
隣り合うロータブレード（２２）のプラットフォーム（２８）間において円周方向ダブテールスロット（３６）内に挿入するための閉塞スペーサ組立体（５０）であって、当該閉塞スペーサ組立体（５０）が、
前記隣り合うロータブレードプラットフォーム間の空間内に嵌合するように構成されたプラットフォーム（５４）を有すると共に前記プラットフォームの下面から横方向に延びかつ前記ダブテールスロット内に延びるような構成を有する第１の脚部（６４）をさらに備えた固定部材（５２）と、
前記プラットフォーム内に形成された縦方向に延びる溝（６２）と、
前記溝に沿って前記固定部材と移動可能に係合した摺動部材（７８）と
を含んでいて、前記摺動部材が、上部プレート（８０）と前記上部プレートに連結されかつ前記第１の脚部と対向して前記ダブテールスロット内に延びるような構成を有する第２の脚部（８６）とを含んでおり、前記摺動部材が、前記第１及び第２の脚部が第１の距離だけ間隔を置いて配置されて前記ダブテールスロット内に挿入可能になるような第１の非閉塞位置と前記第１及び第２の脚部が第２の拡大した距離だけ間隔を置いて配置されて該第１及び第２の脚部が前記ダブテールスロットの対向する壁に対して係合しかつ前記固定部材が該ダブテールスロット内に固定される第２の閉塞位置との間で前記溝に沿って移動可能である、閉塞スペーサ組立体（５０）。
【請求項２】
前記プラットフォームの上部表面（５６）内に形成された細長い凹部（５８）をさらに含んでいて、前記溝（６２）が前記凹部内に形成され、前記摺動部材の上部プレートが、該摺動部材の閉塞位置において前記凹部内に嵌合して前記プラットフォームの上部表面とほぼ同一面になる、請求項１記載の閉塞スペーサ組立体（５０）。
【請求項３】
前記摺動部材（７８）が、前記上部プレート（８０）及び第２の脚部（８６）間に配置されたネック部（８４）をさらに含み、前記ネック部が、前記溝（６２）を貫通して延びる、請求項２記載の閉塞スペーサ組立体（５０）。
【請求項４】
前記上部プレート（８０）が、前記摺動部材（７８）の第１の非閉塞位置において前記プラットフォーム（５４）の上部表面（５６）の上方に配置される、請求項３記載の閉塞スペーサ組立体（５０）。
【請求項５】
前記プラットフォーム（５４）の下面上に前記溝（６２）に沿って形成されたカム表面（７０）と、前記摺動部材（７８）上に構成されたカムフォロア（９２）とをさらに含んでいて、前記カム表面が、前記摺動部材が最初に前記溝に沿って前記第１の非閉塞位置から中間位置に向けて移動する時に、前記第２の脚部（８６）を前記第１の脚部（６４）に向けて旋回させながら前記上部プレート（８０）を前記凹部（５８）内に傾動させる第１の輪郭セクション（７２）を含む、請求項２記載の閉塞スペーサ組立体（５０）。
【請求項６】
前記凹部（５８）が、前記プラットフォーム（５４）の上部表面（５６）に対して下向き角度で形成されて前記上部プレート（８０）の傾動に適応する、請求項５記載の閉塞スペーサ組立体（５０）。
【請求項７】
前記カム表面（７０）が、前記摺動部材（７８）が前記中間位置から前記第２の閉塞位置に移動する時に、前記第２の脚部（８６）を前記第１の脚部（６４）から離れるように旋回させながら前記上部プレート（８０）を前記凹部（５８）内に反対方向に傾動させる第２の輪郭セクション（７６）を含む、請求項６記載の閉塞スペーサ組立体（５０）。
【請求項８】
前記カム表面（７０）の第２の輪郭セクション（７６）との前記カムフォロア（９２）の係合が、前記摺動部材（７８）に対して閉塞付勢力を与えて該摺動部材を第２の閉塞位置に維持する、請求項６記載の閉塞スペーサ組立体（５０）。
【請求項９】
ロータ組立体（１００）であって、
円周方向に延びる連続ダブテールスロット（３６）を形成した前方及び後方フープ（３４）を備えたロータディスク（２０）を有するロータ（１２）と、
その各々がプラットフォーム（２８）及び前記プラットフォームから前記ダブテールスロット内に延びるダブテール（３０）を備えた複数のロータブレード（２２）と、
前記ロータブレードの少なくとも２つの間に配置されかつ請求項１乃至請求項８のいずれか１項記載の構成を有する閉塞スペーサ組立体（５０）と
を含むロータ組立体（１００）。
【発明の詳細な説明】
【技術分野】
【０００１】
本発明は、総括的には円周方向挿入式ロータダブテールシステムに関し、より具体的には、そのようなシステムで使用する閉塞スペーサ組立体に関する。
【背景技術】
【０００２】
従来型のガスタービンは、そのファン、圧縮機及びタービンセクション内のロータディスクに取付けられた様々なロータブレードを有するロータを含む。各ブレードは、その上を加圧空気が流れる翼形部と、翼形部の根元に位置しかつ空気流のための半径方向内側境界を形成したプラットフォームとを含む。ブレードは一般的に、取外し可能であり、従ってロータディスクの周辺部内の相補形ダブテールスロットに係合するように構成された適当なダブテールを含む。ダブテールは、ディスク周辺部内に形成された対応する軸方向又は円周方向スロットに係合する軸方向挿入式ダブテール又は円周方向挿入式ダブテールのいずれかとすることができる。典型的なダブテールは、ブレードプラットフォームの底面から半径方向内向きに延びる最小断面積のネック部を含む。ネック部は、外向きに拡大して一対の対向するダブテールローブになる。
【０００３】
円周方向挿入式ダブテールでは、単一のダブテールスロットが、前方及び後方連続円周方向支柱つまり「フープ」間に形成され、かつディスクの全周辺部の周りで円周方向に延びる。このタイプの構成の一例が、米国特許第６０３３１８５号に示されている。円周方向スロットは、１つの位置で局所的に拡大させて、個々のダブテールを最初に該スロット内に挿入し、次にスロット全体がブレードの完全列で満たされるまで該ダブテールスロットに沿ってそれらダブテールを円周方向に再配置するのを可能にするようにすることができる。円周方向ダブテールスロットの断面形状は、前方及び後方ロータディスクフープによって形成されたローブ凹部を含み、これらのローブ凹部は、ダブテールローブと協働して、タービン運転時における遠心力に抗して個々のブレードを半径方向に保持する。
【０００４】
複数のブレード、特にダブテール構成要素は、円周方向スロット内にかつ該円周方向スロットの周りで摺動させて、ロータディスクの外周部の周りに完全なロータブレード段を形成する。ブレードは、その根元端部に位置しかつスロットの周りで当接係合状態になることができるプラットフォームを含む。その他の実施形態では、隣り合うロータブレードプラットフォーム間において円周方向スロット内にスペーサを取付けることができる。ブレード（及びスペーサ）の全てが取付けられると、スロット内の最終残留空間は一般的に、当技術分野において一般に公知であるように、特別に設計したスペーサ組立体で満たされる。
【０００５】
様々な従来型のスペーサ組立体は、比較的複雑な複数構成要素の装置であり、それら装置は、対向配置した可動部材をディスクフープと係合状態になるように作動させるために回動させるボルト、カム又はその他のトルク機構に依存している。カム部材、ボルト又はその他の機能部材は次に、固定される。その他の装置は、２つの押圧面を互いに半径方向にボルト止めされる。これらの従来型のシステムは一般的に、組立てるのが困難であり、また例えば装置のいずれかの側が隣接するタービン構成要素（つまり、ロータディスク又はブレードプラットフォーム）に対して隙間を生じた場合には、タービンの運転時にバラバラになりがちである。従来型の設計においてしばしば起こるもう１つの問題は、構成要素を互いにぴったりと合わせるのが困難であることである。
【先行技術文献】
【特許文献】
【０００６】
【特許文献１】米国特許第７４３５０５５号明細書
【発明の概要】
【課題を解決するための手段】
【０００７】
本発明の態様及び利点は、以下の説明においてその一部を記載することにし、或いはそれら説明から自明なものとして理解することができ、或いは本発明の実施により学ぶことができる。
【０００８】
１つの態様では、本発明は、隣り合うロータブレードのプラットフォーム間においてロータ円周方向ダブテールスロット内で使用してスロット内の最終空間を満たす独特の閉塞スペーサ組立体を提供する。本組立体は、隣り合うロータブレードプラットフォーム間の空間内に嵌合するように構成されたプラットフォームを有する固定部材を含むことができる。例えば、プラットフォームは、空間を満たしかつロータブレードプラットフォームと同一面になるような幅、長さ及び厚さを有することができる。固定部材はさらに、プラットフォームの下面から横方向に延びかつダブテールスロット内に延びるような構成を有する第１の脚部を含む。縦方向に延びる溝が、プラットフォーム内に形成される。摺動部材が、固定部材と移動可能に係合して溝に沿って摺動する。摺動部材は、上部プレートと、例えば上部プレートの下面から横方向に延びるように該上部プレートに連結された第２の脚部とを含む。第２の脚部はまた、第１の脚部と対向してダブテールスロット内に延びるような構成を有する。摺動部材は、第１及び第２の脚部が第１の距離だけ間隔を置いて配置されて、隣り合うロータブレードプラットフォーム間の空間において上方からダブテールスロット内に挿入可能になるような第１の非閉塞位置に溝に沿って移動可能である。摺動部材は、第１及び第２の脚部が第２の拡大した（第１の距離と比べて）距離だけ間隔を置いて配置されて該第１及び第２の脚部がダブテールスロットの対向する壁に対して係合する第２の閉塞位置に移動可能である。摺動部材の閉塞位置において、固定部材は、ダブテールスロット内に取外し不能に固定される。
【０００９】
別の態様では、本発明はまた、ロータディスクを備えたロータを有するロータ組立体を包含する。ディスクの前方及び後方フープ構成要素は、円周方向に延びる連続ダブテールスロットを形成する。複数のロータブレードが、ダブテールスロットの周りに取付けられ、各ロータブレードは、プラットフォーム及び該プラットフォームからダブテールスロット内に延びるダブテールを有する状態になる。閉塞スペーサ組立体が、ロータブレードの少なくとも２つの間に取付けられる。閉塞スペーサ組立体は、上述しかつ本明細書でより詳細に説明したように構成することができる。
【００１０】
本発明のこれらの及びその他の実施形態並びに特徴部を以下の説明において一層詳細に説明する。
【００１１】
添付図面に関連して行なった以下の詳細な説明において、好ましくかつ例示的な実施形態により、本発明をその更なる態様及び利点と共に一層具体的に説明する。
【図面の簡単な説明】
【００１２】
【図１】従来型のガスタービン構成の構成要素の部分断面図。
【図２】円周方向挿入式ロータブレードのための例示的なロータダブテール及びダブテールスロット構成の部分断面図。
【図３】隣り合うロータブレードのプラットフォーム間に本発明の態様による閉塞スペーサ組立体を備えたロータディスクの部分斜視図。
【図４】本発明の態様による閉塞スペーサ組立体の実施形態の構成要素の斜視図。
【図５】組立てた状態での、図４の構成要素の斜視図。
【図６】ダブテールスロット内に挿入している、図４の構成要素の斜視図。
【図７Ａ】摺動部材を非閉塞位置から閉塞位置に移動させている、本発明による閉塞スペーサ組立体の実施形態の連続動作図。
【図７Ｂ】摺動部材を非閉塞位置から閉塞位置に移動させている、本発明による閉塞スペーサ組立体の実施形態の連続動作図。
【図７Ｃ】摺動部材を非閉塞位置から閉塞位置に移動させている、本発明による閉塞スペーサ組立体の実施形態の連続動作図。
【図８】摺動部材を非閉塞位置から閉塞位置に移動させている、図４の閉塞スペーサの連続動作図。
【図９】閉塞スペーサ組立体の摺動部材構成要素の実施形態の斜視図。
【図１０】図９の摺動部材の別の斜視図。
【発明を実施するための形態】
【００１３】
次に、その１つ又はそれ以上の実施例を図面に示している本発明の特定の実施形態を参照する。各実施形態は、本発明の態様を説明するために示しているものであり、本発明を限定するものと解釈すべきではない。例えば、１つの実施形態に関して図示し又は説明した特徴部は、他の実施形態で使用してさらに別の実施形態を生み出すことができる。本発明は、本明細書に説明した実施形態に対して加えられたそれらの及びその他の修正又は変更も包含することを意図している。
【００１４】
例えば図１には、従来型のガスタービンの構成要素を示しており、この場合、ロータ１２は、タービンの中心軸線１８と同軸的に配置された複数のロータディスク２０を含む。複数の円周方向に間隔を置いて配置されたロータブレード２２が、ディスクに対して取外し可能に固定され、かつ該ディスクから半径方向外向きに延びる。各ブレード２２は、縦方向の中心軸線２４を有し、かつ前縁２６ａ及び後縁２６ｂ（ブレード２２上の空気流の方向において）を有する翼形部セクション２６を含む。各ブレード２２は、翼形部２６上の空気流に対する半径方向内側境界の一部分を構成するプラットフォーム２８と、該プラットフォーム２８から半径方向内向きに延びる一体形のダブテール３０とを有する。ダブテール３０は、当技術分野において一般に公知であるように、ロータディスク２０の前方及び後方フープ構成要素によって形成された円周方向に延びるダブテールスロット内にかつ該ダブテールスロットに沿って摺動する。
【００１５】
図２は、例示的なダブテール及びダブテールスロット構成のより詳細な図である。ロータブレード２２は、プラットフォーム２８を含み、プラットフォーム２８は、該プラットフォーム２８と一体形に形成されたダブテール３０を備え、ダブテール３０は、プラットフォーム２８からロータディスク２０の前方及び後方フープの対面する壁によって形成されたダブテールスロット３６内に延びる。ダブテール３０は、ローブ３２を含み、これらローブ３２は、フープ壁の弓形部分によって形成されたダブテールスロット３６のローブ凹部３８内に受けられる。図２におけるダブテール３０及びダブテールスロット３６の構成は、単に例示目的のものであること、またダブテール及びスロット構成は、本発明の技術思想及び技術的範囲の範囲内で広く変化させることができることは容易に理解される筈である。
【００１６】
図３は、ロータ１２の一部分の部分斜視図であり、特にロータディスク２０の前方及び後方フープ構成要素３４間のダブテールスロット内に構成された複数のロータブレードを示している。ロータブレード２２の各々は、プラットフォーム２８を含む。当技術分野において一般に公知であるように、隣り合うブレードのプラットフォーム２８間に、従来型のスペーサ４０を配置することができる。図３には、本発明の態様による閉塞スペーサ組立体５０を一部破断状態でして示しており、この閉塞スペーサ組立体５０は、円周方向挿入式ロータブレード２２（及び、使用する場合には、関連するスペーサ４０）の全てがダブテールスロット内に挿入された後に、最終スペーサ組立体の機能を果たす。閉塞スペーサ組立体５０については、以下においてより詳細に説明する。
【００１７】
図４は、閉塞スペーサ組立体５０の実施形態の二部品からなる構成要素を示している。組立体５０は、図３に示すように、隣り合うロータブレードプラットフォーム２８間の空間内に嵌合するように構成されたプラットフォーム５４を有する固定部材５２を含む。従って、プラットフォーム５４は、幅、長さ、厚さ又はあらゆるその他の特徴がプラットフォーム５４をロータブレードプラットフォーム２８間に挿入しかつ好ましくはロータブレードプラットフォーム２８及び従来型のスペーサ４０の上部表面と本質的に同一面にすることを可能にするようなあらゆる寸法構成を有することができる。
【００１８】
固定部材５２は、第１の脚部６４を含み、第１の脚部６４は、プラットフォーム５４と一体形に形成することができ、或いはプラットフォーム５４に対して別個に取付けられた構成要素を含むことができる。第１の脚部６４は、プラットフォーム５４の下面からほぼ横方向に延び、かつその全体を図６に示すようにダブテールスロット３６内に延びるような形状及び構成を有する。第１の脚部６４は、あらゆる所望の構成を有することができ、図に示すような直線状構成要素である必要はないことは容易に理解される筈である。第１の脚部６４の形状及び構成は、ダブテールスロット３６の特定の形状及び輪郭によりその大部分が決まることになる。第１の脚部６４はまた、ダブテールスロット３６のローブ凹部３８内に延びかつフープ構成要素３４の壁に対して係合するように構成された足部６６を含むことができる。
【００１９】
固定部材５２は、図４にその全体を示すように、プラットフォーム５４内に形成された溝６２を含むことができる。溝６２は、プラットフォーム５４に沿って縦方向に延びていて、閉塞スペーサ組立体５０をロータ内に挿入した時にフープ構成要素３４間に配向される。
【００２０】
閉塞スペーサ組立体５０は、固定部材５２と移動可能に係合する摺動部材７８を含む。この図示した実施形態では、摺動部材７８は、溝６２に沿って固定部材５２と係合し、かつ以下においてより詳細に説明するように、非閉塞位置と閉塞位置との間で固定部材５２に対して移動可能である。
【００２１】
摺動部材７８は、上部プレート８０と該上部プレート８０に対して、例えば該上部プレート８０の下面に対して連結された第２の脚部８６とを含む。第２の脚部８６は、上部プレート８０と一体形の構成要素として形成することができ、或いは上部プレート８０に対して取付けられた別個の構成要素を構成することができる。第１の脚部６４の場合と同様に、第２の脚部８６は、あらゆる方式の形状又は構成を有することができ、またダブテールスロット３６に挿入され（図６）かつ対向するフープ構成要素３４に対して係合することが意図されている。第２の脚部８６は、ローブ凹部３８内に嵌合しかつフープ構成要素３４の壁に対して係合する足部８８を含むことができる。
【００２２】
特に図９及び図１０に示すように、中間ネック部８４により、上部プレート８０に対して第２の脚部８６を連結することができる。このネック部８４は、固定部材５２のプラットフォーム５４に形成された溝６２内で摺動するような形状及び構成を有する。
【００２３】
摺動部材７８は、第１及び第２の脚部６４、８６がそれら脚部を図６に示すように上方からダブテールスロット３６内に挿入可能になるような距離だけ間隔を置いて配置されるような第１の非閉塞位置（図５及び図６に示す）に溝６２に沿って移動可能である。両脚部がダブテールスロット３６内に挿入されかつ固定部材５２のプラットフォーム５４がフープ構成要素３４上に着座したら、摺動部材７８は、第１及び第２の脚部が拡大した距離（非閉塞位置における距離と比べて）だけ間隔を置いて配置されて該第１及び第２の脚部がダブテールスロットを形成したフープ構成要素３４の対向する壁に対して係合する第２の閉塞位置に再配置される。固定部材５２に対する摺動部材７８の移動は、図８に示している。摺動部材７８の閉塞位置において、第１及び第２の脚部６４、８６は、ダブテールスロット３６内に係合し、また固定部材は、ダブテールスロット内に取外し不能に固定される。
【００２４】
特に図４及び図５を参照すると、閉塞スペーサ組立体５０の独特の実施形態では、プラットフォーム５４の上部表面５６内に、細長い凹部５８が形成される。溝６２は、凹部内に形成され、凹部５８は、溝６２の対向する両側面上にショルダ部６０を含む。凹部５８は、摺動部材７８の閉塞位置において、該摺動部材の上部プレート８０が、図８に摺動部材７８の最終位置として示すようにプラットフォーム５４の上部表面５６とほぼ同一面になるように凹部内に嵌合する。摺動部材７８の非閉塞位置では、上部プレート８０は、プラットフォーム５４の上部表面５６の上方に配置されかつ本質的に上部プレート８０が凹部５８内に落ち込むまで上部表面に沿って摺動する。
【００２５】
特に図５及び図７Ａ〜図７Ｃを参照すると、カム表面７０が、例えばプラットフォーム５４の下面上に溝６２に沿って形成される。カムフォロア９２が、摺動部材７８上に構成され、かつ摺動部材７８が閉塞位置と非閉塞位置との間で移動する時にカム表面７０に係合する。カムフォロア９２は、カム表面７０に沿って摺動する摺動部材７８のあらゆる構造を含むことができる。この図示した実施形態では、カムフォロア９２は、第２の脚部８６の横方向に延びるショルダ部によって形成される。これらのショルダ部は、特に図１０に示すように、例えばネック部８４の対向する両側面上に形成される。従って、図７Ａ〜図７Ｃの連続動作図に示すように、ネック部８４は、溝６２を貫通して延び、またカムフォロア表面９２は、カム表面７０に対して係合する。カム表面７０は、摺動部材７８の初期移動路内の第１のセクション７２及び摺動部材７８の閉塞位置に定められた第２のセクション７６よって形成された独特の輪郭を有する。第１の輪郭セクション７２は、図７Ａ及び７Ｂに示すように、非閉塞位置から閉塞位置に向かう摺動部材７８の初期移動時に、第１の脚部６４に向かって第２の脚部８６を旋回させながら、摺動部材７８の上部プレート８０を凹部５８内に傾動させる。閉塞位置に向かう摺動部材７８の更なる移動は、カムフォロア表面９２をカム表面７０の第２の輪郭セクション７６に係合させる。第２のセクションは、図７Ｃに示すように、第２の脚部８６を第１の脚部から離れるように旋回させながら、上部プレート８０を反対方向に凹部５８内に傾動させる。凹部５８は、プラットフォームの上部表面に対して下向き角度で（第１の脚部６４から離れる方向に）形成されて、図７Ｂに示すように上部プレート８０の傾動に適応する。
【００２６】
図７Ｃに示すような摺動部材７８の閉塞位置において、第２の輪郭セクション７６に対するカムフォロア表面９２の係合は、摺動部材７８に対して閉塞付勢力を与えて、脚部８６が第１の脚部６４から離さるようにかつダブテールスロット壁と係合状態になるようにし、また上部プレート８０の前方端縁つまり前縁を図７Ｃに示す矢印の方向に付勢して、該上部プレート８０の後縁が凹部５８のショルダ部６０と接触状態になるように付勢するようにする。
【００２７】
この図示した実施形態では、摺動部材７８の上部プレート８０の下面上にはまた、案内タブ９０が設けられる。案内タブ９０は、特に図７Ａ〜図７Ｃに示すように、溝６２に沿って摺動するような寸法を有する。
【００２８】
固定部材５２に対する摺動部材７８の独特の構成及び特にカム表面７０との間のカムフォロア表面９２の相互作用により、プラットフォーム５４の凹部５８内への摺動部材７８の上部プレート８０の独特のスナップ動作閉鎖が生じる。この動作は、閉塞スペーサ組立体５０がダブテールスロット内に正しく着座しかつ所定の位置に確実に固定されたことを積極的に示すことになる。
【００２９】
本発明はまた、本明細書に記載しかつ具体化したような閉塞スペーサ組立体５０を組入れたロータ組立体１００（図２）を包含することを理解されたい。ロータ組立体１００は、円周方向に延びる連続ダブテールスロット３６を形成した前方及び後方フープ３４を備えたロータディスク２０を有するロータ１２を含む。複数のロータブレード２２がダブテールスロット内に嵌合され、ロータブレード２２の各々は、プラットフォーム２８と該プラットフォームからダブテールスロット３６内に延びるダブテール３０とを含む。本明細書に図示し又は記載した実施形態のいずれかによる閉塞スペーサ組立体５０は、上記したように、ロータブレードプラットフォーム２８の２つ間の空間内に配置される。
【００３０】
特定の例示的な実施形態及びそれらの方法に関して本主題を詳細に説明してきたが、当業者には、以上の説明を理解することにより、そのような実施形態に対する変更形態、変形形態及び均等形態を容易に作り出すことができることが分るであろう。従って、本開示の技術的範囲は、限定としてではなくて例示としてのものであり、本主題の開示は、当業者には容易に明らかとなるような、本主題に対するそのような修正、変形及び／又は付加を包含することを排除するものではない。
【符号の説明】
【００３１】
１２  ロータ
２０  ロータディスク
１８  中心軸線
２２  ロータブレード
２４  中心軸線（ブレードの）
２６  翼形部セクション
２６ａ  前縁
２６ｂ  後縁
２８  プラットフォーム
３０  ダブテール
３１  ネック部
３２  ダブテールローブ
３４  フープ構成要素
３６  ダブテールスロット
３８  ローブ凹部
４０  スペーサ
５０  閉塞スペーサ組立体
５２  固定部材
５４  プラットフォーム
５６  上部表面
５８  凹部
６０  ショルダ部
６２  溝
６４  第１の脚部
６６  足部
７０  カム表面
７２  第１のセクション
７６  第２のセクション
７８  摺動部材
８０  上部プレート
８２  上部表面
８４  ネック部
８６  第２の脚部
８８  足部
９０  案内タブ
９２  カムフォロア
【図１】
2011033030.tif 000003
【図２】
2011033030.tif 000004
【図３】
2011033030.tif 000005
【図４】
2011033030.tif 000006
【図５】
2011033030.tif 000007
【図６】
2011033030.tif 000008
【図７Ａ】
2011033030.tif 000009
【図７Ｂ】
2011033030.tif 000010
【図７Ｃ】
2011033030.tif 000011
【図８】
2011033030.tif 000012
【図９】
2011033030.tif 000013
【図１０】
2011033030.tif 000014